(57)【要約】【課題】  発光管からの可視光を効率よく外部に放射することにより出力光束を増大させると共に、樹脂の劣化、溶融等の対策が可能な蛍光ランプ装置及び照明器具を提供する。【解決手段】  端部に電極１４を有し曲成する放電路を有すると共に、内面に蛍光体層が形成され、放電媒体が封入された発光管１１と；発光管１１に対向するホルダ面およびホルダ面部より発光管側に突出形成され、電極を有する発光管端部をホルダ面と接触または離間した状態で保持する保持手段１２ｃを一端側に有し、発光管の電極に接続される導電部を備えた口金１３を他端側に有するホルダ１２と；を具備した構成とする。【選択図】        図１
2006080015.tif 000002
【特許請求の範囲】
【請求項１】
端部に電極を有し曲成する放電路を有すると共に、内面に蛍光体層が形成され、放電媒体が封入された発光管と；
発光管に対向するホルダ面およびホルダ面部より発光管側に突出形成され、電極を有する発光管端部をホルダ面と接触または離間した状態で保持する保持手段を一端側に有し、発光管の電極に接続される導電部を備えた口金を他端側に有するホルダと；
を具備したことを特徴とする蛍光ランプ装置。
【請求項２】
端部に電極を有し曲成する放電路を有すると共に、内面に蛍光体層が形成され、放電媒体が封入された発光管と；
発光管に対向するホルダ面およびホルダ面部より発光管側に突出形成され、電極を有する発光管端部をホルダ面と接触または離間した状態で保持する保持手段を一端側に有し、外部の電源に接続可能な口金を他端側に有するホルダと；
ホルダ内に収納され口金を介して給電され発光管を付勢する点灯装置と；
を具備したことを特徴とする蛍光ランプ装置。
【請求項３】
請求項１または２に記載の保持手段により曲成された発光管の内側を保持することを特徴とする蛍光ランプ装置。
【請求項４】
請求項１ないし３いずれか一に記載の保持手段は、発光管端部における電極より放電路側を保持することを特徴とする蛍光ランプ装置。
【請求項５】
請求項１ないし４いずれか一に記載の蛍光ランプ装置を用いたことを特徴とする照明器具。
【発明の詳細な説明】
【技術分野】
【０００１】
本発明は、発光管を屈曲または連結等をして曲成した放電路を有する蛍光ランプ装置及び蛍光ランプ装置を使用した照明器具に関する。
【背景技術】
【０００２】
この種の蛍光ランプ装置としては、コンパクト形蛍光ランプや電球形蛍光ランプが存在し、小形軽量化が進み、特に電球形蛍光ランプは一般の白熱電球と外観的にはかなり類似したものとなってきており、一段と普及が進んでいる。
【０００３】
特に近年では、例えば下記の特許文献１に示されるように、放電路が長く、かつ小形化を達成するために螺旋状の発光管を用いた蛍光ランプ装置が知られている。
【特許文献１】特開２００４−７１５５５号公報
【発明の開示】
【発明が解決しようとする課題】
【０００４】
しかしながら、特許文献１の蛍光ランプ装置は、文献中の図１、図３等に示されるように、螺旋状に曲成して湾曲する発光管２の端部９２、９３をホルダ６の受入口６３、６４に回転して挿入し接着剤６５を塗布することにより、発光管２をホルダ６に固定している。
【０００５】
このため、発光管における発光部の一部である端部９２、９３が、ホルダ内に収納されてしまい、端部で発光する可視光が外部に放射されなくなり、光ロスが生じる問題がある。
【０００６】
また、発光管２の端部９２、９３には電極８が封入されており、合成樹脂からなるホルダは電極に近接した状態となる。
【０００７】
このため、発光管の点灯時に発生する熱によって、発光管の端部９２、９３に近接したホルダ６の樹脂部分が、長期間の使用により劣化する問題がある。
【０００８】
さらに、ランプの寿命末期時に発光管の端部が黒化し高温となった際に、この熱によりホルダが異常に加熱され溶融する恐れがある。
【０００９】
この問題を回避するために、発光管の端部から電極を離間させて、電極をホルダから離す方法がとられるが、双方の電極の高さが高くなることから電極間の距離が短くなり放電路が短縮されて発光効率が低下する問題が生じる。
【００１０】
また、合成樹脂の溶融を避けるために、樹脂の電極近傍にアルミ箔等の遮熱板を設ける方法もあるが、部品数の増加と作業工程の増加などによりコストアップが生じてしまう。
【００１１】
本発明は、上述した問題を解決することを目的とし、発光管からの可視光を効率よく外部に放射することにより出力光束を増大させると共に、樹脂の劣化、溶融等の対策が可能な蛍光ランプ装置及び照明器具を提供しようとするものである。
【課題を解決するための手段】
【００１２】
請求項１に記載の蛍光ランプ装置の発明は、端部に電極を有し曲成する放電路を有すると共に、内面に蛍光体層が形成され、放電媒体が封入された発光管と；発光管に対向するホルダ面およびホルダ面部より発光管側に突出形成され、電極を有する発光管端部をホルダ面と接触または離間した状態で保持する保持手段を一端側に有し、発光管の電極に接続される導電部を備えた口金を他端側に有するホルダと；を具備したことを特徴とする。
【００１３】
請求項１の発明によれば、発光管端部は、ホルダ面よりも発光管側に突出するようにホルダ面と発光管端部が接触または離間した状態で保持されるので、発光管からの光出力を効率的に外方に放射することができると共に、樹脂の劣化、溶融等の対策が可能な蛍光ランプ装置が構成される。
【００１４】
ホルダは、コンパクト形の蛍光ランプにおける口金で構成すること、さらに電球形の蛍光ランプにおける点灯装置を設けた仕切体と、仕切体を保持するカバー体で構成することを許容する
ホルダは、少なくとも発光管の電極を有する端部を保持していれば、発光管の中間部分すなわち、発光管端部よりも放電路側を保持しても構わない。また、発光管が保持される面は、内側でも外側でもよい。
【００１５】
発光管の保持手段は、例えば、ホルダ面から突出した弾性を有するリブなどを許容するが、その発光管端部が完全に浮いた状態でホルダ面に対向していることを条件とするのではなく、例えば、端部の蛍光体膜が形成されていない圧潰部などの発光に寄与しない一部分がホルダ面に接していてもよく、要は実質的に発光に寄与している端部が遮られることなく保持されていればよい。
【００１６】
ホルダ面から突出形成された保持手段は、ホルダ面と一体的に形成されていても、別体のものを取り付けて構成されていても構わない。さらにその材質は耐熱性を有する合成樹脂や金属により構成されることが望ましいが、その材質については、特に限定されない。光ロスを極力少なくするために透光性を有する材質で構成することも許容する。
【００１７】
「曲成する放電路」は、ガラス管等を屈曲または連結等をして、略Ｕ字形もしくは略Ｈ字形等に曲成された放電路を構成したもの、さらには１重または２重等の螺旋状に曲成された放電路を構成したものを許容する。
【００１８】
さらに、発光管端部は垂直や水平方向に形成しても、さらにホルダにおける発光管のホルダ面に対して斜めに傾斜しながら螺旋状に湾曲して設けられるもの等を許容する。
【００１９】
また、発光管端部は、圧潰封止であってもステム封止であっても構わない。
【００２０】
請求項２に記載の蛍光ランプ装置の発明は、端部に電極を有し曲成する放電路を有すると共に、内面に蛍光体層が形成され、放電媒体が封入された発光管と；発光管に対向するホルダ面およびホルダ面部より発光管側に突出形成され、電極を有する発光管端部をホルダ面と接触または離間した状態で保持する保持手段を一端側に有し、外部の電源に接続可能な口金を他端側に有するホルダと；ホルダ内に収納され口金を介して給電され発光管を付勢する点灯装置と；を具備したことを特徴とする。
【００２１】
請求項２の発明によれば、発光管端部は、ホルダ面よりも発光管側に突出するようにホルダ面と発光管端部が接触または離間した状態で保持されるので、発光管からの光出力を効率的に外方に放射することができると共に、樹脂の劣化、溶融等の対策が可能な蛍光ランプ装置が構成される。
【００２２】
ホルダは、電球形の蛍光ランプにおける点灯装置を設けた仕切体と、仕切体を保持するカバー体で構成することを許容する
点灯装置は、板状の回路基板を備え、この回路基板の口金側の一面、あるいは口金側と発光管側との両面に複数の電子部品が実装されて、発光管を高周波点灯させるインバータ回路等を許容する。
【００２３】
構成れる蛍光ランプ装置は、グローブを有するもの、グローブレスの電球形の蛍光ランプ等を許容する。
【００２４】
請求項３に記載の蛍光ランプ装置の発明は、請求項１または２に記載の保持手段により曲成された発光管の内側を保持することを特徴とする。
【００２５】
請求項３の発明によれば、発光管からの光出力を一層効率的に外方に放射することができると共に、樹脂の劣化、溶融等の対策が可能な蛍光ランプ装置が構成される。
【００２６】
「発光管の内側」は、例えば、円筒形のガラス管で構成した発光管における円形断面を幾何学的に２等分した厳密な意味での内側である必要はなく、保持部材の一部が外側に掛かっているものでもよく、要は発光管の外側から放射される可視光を実質的に遮らないようにして内側を保持するようにすればよい。
【００２７】
請求項４に記載の蛍光ランプ装置の発明は、請求項１ないし３いずれか一に記載の保持手段は、発光管端部における電極より放電路側を保持することを特徴とする。
【００２８】
請求項４の発明によれば、発光管からの光出力を効率的に外方に放射することができると共に、樹脂の劣化、溶融等の対策が一層可能な蛍光ランプ装置が構成される。
【００２９】
「電極より放電路側を保持する」は、電極からの熱の影響を極力受けないように電極から離間して放電路側を保持するようにすればよく、離間させる距離は設計上の問題として適宜選定すればよい。
【００３０】
請求項５に記載の照明器具の発明は、請求項１ないし４いずれか一に記載の蛍光ランプ装置を用いたことを特徴とする。
【００３１】
請求項５の発明によれば、発光管からの光出力を効率的に外方に放射することができると共に、樹脂の劣化、溶融等の対策が可能な蛍光ランプ装置を用いた照明器具が構成される。
【発明の効果】
【００３２】
請求項１の発明によれば、発光管端部は、ホルダ面よりも発光管側に突出するようにホルダ面と発光管端部が接触または離間した状態で保持されるので、発光管からの光出力を効率的に外方に放射することができる。
【００３３】
したがって、例えば、従来と同様の発光管を使用しても発光光束を向上することができるので放射効率を改善することができると共に、樹脂の劣化、溶融等の対策が可能な蛍光ランプ装置を提供することができる。
【００３４】
請求項２の発明によれば、発光管端部は、ホルダ面よりも発光管側に突出するようにホルダ面と発光管端部が接触または離間した状態で保持されるので、発光管からの光出力を効率的に外方に放射することができる。
【００３５】
したがって、例えば、従来と同様の発光管を使用しても発光光束を向上することができるので放射効率を改善することができると共に、樹脂の劣化、溶融等の対策が可能な蛍光ランプ装置を提供することができる。
【００３６】
請求項３の発明によれば、発光管の内側を保持するようにしたので、発光管の外側から放射される可視光を遮らないようにして保持することができ、光ロスを一層少なくすると共に、樹脂の劣化、溶融等の対策が可能な蛍光ランプ装置を提供することができる。
【００３７】
請求項４の発明によれば、発光管端部における電極より放電路側を保持するようにしたので、保持手段が電極からの熱の影響を極力受けないように構成することができ、樹脂の劣化、溶融等の対策が一層可能な蛍光ランプ装置を提供することができる。
【００３８】
請求項５の発明によれば、発光管からの光出力を効率的に外方に放射することができると共に、樹脂の劣化、溶融等の対策が可能な蛍光ランプ装置を用いた照明器具を提供することができる。
【発明を実施するための最良の形態】
【００３９】
以下、本発明の蛍光ランプ装置及び照明器具の実施形態につき説明する。
【実施例１】
【００４０】
図１〜図３は本発明の第一実施形態である蛍光ランプ装置を示し、図１は一部を切り欠いて示す正面図、図２側面図、図３は斜視図。
【００４１】
図４は本発明の第一実施形態である照明器具を天井面に設置した状態を示す縦断面図である。
【００４２】
まず、図１〜図３に従い本実施形態の蛍光ランプ装置の構成につき説明する。
【００４３】
１０は蛍光ランプ装置で、発光管１１とホルダ１２で構し、ホルダ１２は口金１３で構成したいわゆるコンパクト形の蛍光ランプを構成する。
【００４４】
なお、以下、発光管１１を上側、口金１３を下側として説明する。
【００４５】
発光管１１は、1本の直管状のガラス管を二等分するように屈曲し、二等分したガラス管の中央領域を頂部１１ａとして、一対の端部１１ｂ、１１ｃ方向に直線部分を残すことなく全てを螺旋状に形成する。
【００４６】
発光管１１は、透明な無鉛ガラスで管外径寸法を９．０〜１３ｍｍに構成し、ガラス管の内面には、例えば３波長の蛍光体層を形成する。
【００４７】
螺旋状をなす発光管１１の形成は、1本の直管状のガラス管を加熱溶融し、柔らかくした状態で二等分するように屈曲し、さらに二等分したガラス管の中央領域を頂部１１ａとして、螺旋状に形成された溝を有する型に沿わせて巻き付けることにより形成する。
【００４８】
発光管１１の一対の端部１１ｂ、１１ｃは、側面視で電極側が下方に向いて傾斜し、かつ上面視で外側に湾曲した螺旋状に構成する。
【００４９】
発光管の各端部１１ｂ、１１ｃには、電極１４としてのフィラメントコイルが一対のウェルズに支持されて配置され、一対のウェルズはガラス管の端部１１ｂ、１１ｃにピンチシールによって封入された一対のジュメット線を介してガラス管端部から外部に導出されたランプ側ワイヤー１４ａに接続する。
【００５０】
各端部１１ｂ、１１ｃから導出された、２対４本のランプ側ワイヤー１４ａは、後述するホルダ１２を介して口金１３の端子ピン１３ａに接続される。
【００５１】
上記のように構成された発光管１１は、螺旋状に曲成され連続した細く長い放電路が構成される。この放電路の放電路長は、２５０〜５００ｍｍに形成する。
【００５２】
この放電路長は、一方の電極１４のフィラメントコイルから螺旋状をなすガラス管の軸線を介した他方の電極１４のフィラメントまでの距離寸法である。
【００５３】
上記のように構成された発光管１１内に、アルゴン（Ａｒ）とクリプトン（Ｋｒ）の混合ガス等からなる放電媒体である希ガスを封入する。
【００５４】
ホルダ１２は、ポリブチレンテレフタノール（ＰＢＴ）などの耐熱性合成樹脂などで構成し、上面が開放された横断面が略円形の器状をなした本体１２ａと、上面の開放部を塞ぐ円形の蓋体１２ｂで構成する。
【００５５】
本体１２ａは、口金１３のケースとなるもので、底面に２対４本の端子ピン１３ａを突出して設ける。端子ピンは、導電性の金属材料で構成され、照明器具に設けられたソケットに差し込むことにより、器具の点灯装置を介して商用電源に接続される。
【００５６】
円形の蓋体１２ｂは、ホルダ１２のホルダ面となって発光管１１を保持するもので、その上面に保持部材をなす２本のリブ１２ｃを外方に突出して一体に形成する。
【００５７】
これにより、発光管１１に対向するホルダ面およびホルダ面部より発光管側に突出形成された保持手段をなす２本のリブ１２ｃを一端側に有し、発光管１１の電極に接続される導電部である端子ピン１３ａを備えた口金１３を他端側に有するホルダ１２が構成される。  
【００５８】
保持部材となる２本のリブ１２ｃは、それぞれ短冊状をなしており、ホルダ１２のホルダ面となる蓋体１２ｂ上面における付け根部分を支点として、左右に弾性をもって振れるように形成し、先端部分に発光管１１の円筒外周面の円筒形状に合わせた略半円弧状をなす保持部１２ｄを形成する。
【００５９】
２本のリブ１２ｃは、円形蓋体１２ｂの円中心に対して点対称となる位置に、それぞれが対向するように配置して設け、保持部１２ｄの半円弧状をなす凹部の面が外方に向くように配置する。
【００６０】
図中１２ｅは、発光体１１のランプ側ワイヤー１４ａを蓋体１２ｂの下面側に貫通させるための挿通孔で、２対４本のランプ側ワイヤー１４ａに対応して４個形成する。
【００６１】
次に上記のように構成されたホルダ１２に発光管１１を組み込み保持する構成につき説明する。
【００６２】
まず、各端部１１ｂ、１１ｃから２対４本のランプ側ワイヤー１４ａが導出された状態の発光管１１を、ホルダ１２の上面に位置させ、４本のランプ側ワイヤー１４ａを、対応する各挿通孔１４ｅに挿通し、口金１３の対応する４本の各端子ピン１３ａに接続する。ランプ側ワイヤー１４ａを挿通した挿通孔１４ｅは、シリコーン等の接着剤で塞ぐようにしてもよい。
【００６３】
次に、発光管の各端部１１ｂ、１１ｃにおいて、各電極１４の位置よりも放電路側に位置する部分を、２本のリブ１２ｃの先端部に対向させ、短冊状をなし弾性を有する各リブ１２ｃの弾力に抗して下方に差し込む。
【００６４】
これにより、リブ１２ｃが弾性に抗して外側に開き、さらに下方に差し込むと、発光管各端部１１ｂ、１１ｃの内側が半円弧状保持部１２ｄに合致する。
【００６５】
これにより、リブ１２ｃがその弾性力により元の位置に復帰して、各端部１１ｂ、１１ｃの内側が保持部１２ｄの半円弧状凹部に嵌合する。
【００６６】
これにより、発光管の各端部１１ｂ、１１ｃはホルダ面と接触または離間した状態で、保持手段であるリブ１２ｃによって保持されると共に、側面視で電極１４側が下方に向いて傾斜し、かつ上面視で外側に湾曲した螺旋状の各端部１１ｂ、１１ｃが、その筒状をなす内側が各リブ１２ｃの半円弧状の保持部１２ｄに嵌合し、各リブ１２ｃの弾性力によって発光管１１がホルダ１２に確実に保持される。
【００６７】
発光管１１をホルダ１２から分離する場合には、上述とは逆に、リブ１２ｃに嵌合した発光管の各端部１１ｂ、１１ｃを、リブの弾性に抗して上方に引っ張れば容易に分離することができる。
【００６８】
なお、発光管の各端部１１ｂ、１１ｃの内側が各リブ１２ｃの保持部１２ｄに嵌合した状態で、嵌合部分及び各端部とホルダのホルダ面となる蓋体１２ｂの上面をシリコーン等の耐熱性の接着剤を塗布して、さらに強固に保持するようにしてもよい。
【００６９】
上記のように発光管１１がホルダ１２に保持された蛍光ランプ装置１０は、発光管の各端部１１ｂ、１１ｃがホルダ１２のホルダ面から浮いて外方に露出し、各端部１１ｂ、１１ｃから放射される可視光が遮られないため、発光管からの可視光を効率よく外方に放射することにより出力光束を増大させることができる。
【００７０】
さらに、発光管１１の内側をリブ１２ｃで保持したので、発光に直接寄与する発光管の外側をリブで遮らないため、より一層、発光管からの可視光を効率よく外方に放射することができる。
【００７１】
上記のように構成された蛍光ランプ装置１０は、発光管１１の外径寸法ｄ１が約３７ｍｍ、ランプ全体の高さ寸法ｈ１が約９０ｍｍ、発光管長Ｌ１が約５７ｍｍのコンパクト形の蛍光ランプとして構成される。
【００７２】
次に、上記のように構成された蛍光ランプ装置を光源とした照明器具の構成を説明する。
【００７３】
図４に示すように、２０は店舗等の天井面Ａに設置されたダウンライト式の照明器具で、下面に開口部２１ａを有する金属製の箱状をなした本体ケース２１と、開口部２１ａに嵌合される金属製の反射体２２で構成する。
【００７４】
反射体２２は、例えばステンレス等の金属板で構成し、下面周囲に飾り枠２２ａ一体に形成する。
【００７５】
反射体２２の上面板の中央部には、点灯装置を内蔵したソケット２３を設置する。
【００７６】
このソケット２３に、上述した蛍光ランプ装置１０の端子ピン１３ａを差し込む。
【００７７】
これにより螺旋状をなす発光管１１を有するコンパクト形の蛍光ランプを設置したダウンライト式の照明器具が構成される。
【実施例２】
【００７８】
次に、本発明蛍光ランプ装置の第二の実施形態について説明する。
【００７９】
図５は、第二実施形態における蛍光ランプ装置の一部を切り欠いて示す縦断面図で、第一の実施形態と同一部分には同一符号を付してある。
【００８０】
３０は電球形の蛍光ランプで、発光管１１と、ホルダ３１及びグローブ３２で構成する。
【００８１】
ホルダ３１は、仕切体３３とカバー体３４よりなり、一端側に発光管１１を保持する仕切体３３を有し、他端側にカバー体３４を介して口金３５を有するように構成する。
【００８２】
点灯装置３６を仕切体３３に設けることにより、点灯装置がホルダ３１内に収納され口金３５を介して給電され発光管を付勢するように構成し、いわゆる電球形の蛍光ランプを構成する。
【００８３】
なお、以下、発光管１１を上側、口金３５を下側として説明する。
【００８４】
本実施形態の発光管１１は、各端部１１ｂ、１１ｃを垂直方向に屈曲させて直線状の各端部となし、直線状の部分に電極を内蔵させるように構成する。
【００８５】
発光管１１の他の構成は、第一の実施形態と同様である。
【００８６】
ホルダ３１を構成する仕切体３３は、ポリブチレンテレフタノール（ＰＢＴ）などの耐熱性合成樹脂などで略円形の器を逆さにした形態に構成し、ホルダのホルダ面で一端側となる逆さにした器の上面に発光管１１を保持すると共に、器の内面側に点灯装置３６を収納する。
【００８７】
ホルダ３１のホルダ面となる仕切体３３の上面には、保持手段をなす２本のリブ３１ｃが外方に突出して一体に形成され、第一の実施形態と同様にリブ３１ｃにより発光管１１の各端部１１ｂ、１１ｃが保持される。
【００８８】
なお、リブ３１ｃによる発光管各端部１１ｂ、１１ｃの保持は、図５中実線で示す発光管の傾斜した部分を保持するリブ３１ｃに加えて、点線で示すように直線状の部分もリブ３１ｃ'で保持するようにしてもよい。さらに傾斜した部分を保持するリブ３１ｃを省略して直線状の部分のみをリブ３１ｃ'で保持するようにしてもよい。
【００８９】
ホルダ３１を構成する仕切体３３は、器の内面側に開口部３３ａを有し、外周面にリング状の支持鍔３３ｂを形成する。
【００９０】
仕切体３３の開口部３３ａには、発光管１１の点灯装置３６を構成する電子部品３６ａを実装した円盤状の回路基板３６ｂを嵌合し、シリコーン等の耐熱性の接着剤を用いて固定する。
【００９１】
電子部品３６ａは、発光管１１を高周波電力で点灯させるための電解コンデンサ、カレントトランス、フィルムコンデンサ、ＲＥＣ（整流素子、ダイオードブリッジ）、抵抗、トランジスタ、ＳＣＲなどのスイッチング素子等の部品で構成する。
【００９２】
これらの電子部品３６ａは、円盤状のプリント基板で構成した回路基板３６ｂの上下両面に実装され、比較的小さな部品が回路基板の上面に、また比較的大きな部品は下面に位置するようにして配置し、下面に配置された回路部品はカバー体３４で覆われ、一部の大きな電解コンデンサ等の部品は口金３５の空間部３５ａ内に収納する。
【００９３】
これらの電子部品３６ａで構成した高周波点灯装置の入力端を口金３５の端子部に、出力端を発光管１１の電極１４に、ランプ側ワイヤー１４ａを介して電気的に接続する。
【００９４】
発光管１１の各端部１１ｂ、１１ｃは、従来のようにホルダである仕切体３３内に挿入し収納されていないため、仕切体３３内に収納されている電子部品３６ａと発光管の各端部１１ｂ、１１ｃが近接せずに離れた配置構成とすることができる。
【００９５】
これにより、電子部品が発光管１１からの熱の影響を受け難くなり、点灯装置を構成する電子部品の信頼性が向上する。
【００９６】
ホルダを構成するカバー体３４は、上下に開口部を有する略円錐形の円筒状をなしたもので、ポリブチレンテレフタノール（ＰＢＴ）などの耐熱性合成樹脂で構成し、円筒の上方開口部の内面側に仕切体３３の支持鍔３３ｂの下面を載置して耐熱性の接着剤で固定して保持する。
【００９７】
カバー体３４の円筒下方の開口縁部には、口金３５の開口部が嵌め込まれ、かしめ、もしくは耐熱性の接着材等を用いて固定する。
【００９８】
口金３５は、導電性の金属材料で構成し、商用電源に配線され接続されたソケットに、ねじ込み等の手段で電気的に接続されて取り付けられもので、例えばＥ２６型の口金で構成し、内面に空間部３５ａを、外面に雄ねじ部３５ｂを設ける。
【００９９】
グローブ３２は、透明あるいは光拡散性を有する乳白色などで、ガラスあるいは合成樹脂により、一般白熱電球のガラス球と略同一形状の滑らかな曲面状に形成する。
【０１００】
グローブ３２の下方開口部の縁部が、仕切体３３の支持鍔３３ｂと、カバー部材３４の上縁部内面とで形成される隙間に嵌め込まれ、耐熱性の接着剤等により三者を同時に固定して保持する。
【０１０１】
上記のように構成された電球形の蛍光ランプは、グローブ３２の頂点から口金３５底面までのランプ全体の高さ寸法ｈ２を約１０９ｍｍ、グローブ３５の最大外径寸法ｄ２を約６０ｍｍに構成する。
【０１０２】
発光管１１の寸法は第一の実施形態と同様、外径寸法ｄ１が約３７ｍｍ、発光管長Ｌ１が５７ｍｍの構成されている。
【０１０３】
本実施形態では、発光管１１を覆うグローブ３２を設けたが、グローブを被せずに発光管を露出した電球形の蛍光ランプを構成するようにしてもよい。
【０１０４】
上記のように構成された電球形の蛍光ランプは、各種の照明器具のソケットにねじ込まれ、点灯回路に電源が投入されて発光管が点灯し照明をするようになっている。
【０１０５】
その他の構成、作動、作用効果、各種の変形例等は、第一の実施形態と同様である。
【０１０６】
上述した第一、第二の各実施形態では、発光管の各端部をリブによりホルダのホルダ面から浮かせ間隔を有して保持したが、発光管の各端部の先端部分をホルダのホルダ面に当接させることにより、リブによる発光管各端部の保持と合わせて、２点を保持する構成となし、より強固に発光管をホルダに保持するようにしてもよい。さらに、２点を保持した近傍部分に、例えばシリコーン等の耐熱性の接着剤を塗布し、さらに強固に保持させるようにしてもよい。
【０１０７】
また、先端部分を含めた発光管の端部を、断面が略楕円形をなすように扁平状に成形し、扁平となった部分をホルダのホルダ面に当接させ、接触面積が広くなるように構成して、さらに安定して強固に保持するようにしてもよい。さらに、先端部分の近傍に、例えばシリコーン等の耐熱性の接着剤を塗布し、さらに強固に保持させるようにしてもよい。
【０１０８】
この場合、電極を設ける部分が扁平となり、電極のフィラメントコイルの間隔を広くすることができ、発光効率を上げることができる。
【０１０９】
発光管はガラス管で構成したが、透光性気密容器を形成可能なセラミックスなどで構成してもよい。
【０１１０】
発光管の保持部材となるリブは、透明な合成樹脂等で構成すれば、リブにより光線を遮ることが防止でき、光ロスを一層少なくすることができる。
【０１１１】
発光管の内側をリブで保持したが、外側を保持するようにしてもよい。この場合、リブを細い金属線で構成すれば光を遮る面積が小となり光ロスを少なくすることができる。
【０１１２】
リブを２対４本の導電性を有する金属で構成し、発光管から導出される２対４本のランプ側ワイヤーを、各リブに対応させて接続し、各リブと各端子ピン（第一実施形態）または点灯装置の出力端（第二実施形態）に対応させて電気的に接続し、これにより発光管保持用のリブを電気的なリード線の役目を兼用させるようにしてもよい。
【０１１３】
第一、第二の各実施形態によれば、発光管の各端部を、ホルダのホルダ面から外方に露出させて保持するようにしたので、各端部から放射される可視光が遮られることがなく、光ロスを少なくして、発光管からの可視光を効率よく外方に放射することにより出力光束を増大させることができる。
【０１１４】
さらに、電極を有する発光管の各端部が外方に露出し、従来のように各端部がホルダ内に収納されていないことから、樹脂と発熱する発光管の各端部が離れ、樹脂が熱の影響を受け難くなって点灯時における樹脂の劣化を防止することができる。さらに、ランプ寿命末期に発光管の各端部が黒化し高温となった場合にも、ホルダが溶融したりすることがなく、樹脂の劣化、溶融等の対策を行った蛍光ランプ装置を提供することができる。
【０１１５】
また、従来のように樹脂の劣化、溶融を防ぐために、電極を発光管の各端部から離間させて電極間の距離を短くする構成をとる必要がないので、発光効率を低下させることもない。
【０１１６】
また、保持手段となるリブは、発光管の内側を保持するようにしたので、発光管の外側から放射される可視光がリブによって遮られることがなく、光ロスを一層少なくすることができる。
【０１１７】
さらに、保持手段となるリブは、発光管の電極の位置より放電路側を保持して電極からの熱の影響を受け難くしたので、リブを合成樹脂で構成した場合でも、樹脂が劣化したり溶融することがなく、樹脂の劣化、溶融等の対策をより一層行った蛍光ランプ装置を提供することができる。
【０１１８】
また、リブは弾性を有する素材で構成したため、半円弧状の凹部は弾性により広げることが可能で、発光管のサイズや管径に左右されることなく、任意に対応して確実に保持することが可能となる。
【０１１９】
さらに、リブは短冊状をなした簡単な構成であるため、他種類のサイズ、強度を有するリブを用意することができ、各種発光管のサイズ、管径等の要求に応じて提供し易い。
【０１２０】
以上、本発明の好適な実施形態を説明したが、本発明は上述の各実施形態に限定されることなく、本発明の要旨を逸脱しない範囲内において、種々の設計変更を行うことができる。
【図面の簡単な説明】
【０１２１】
【図１】本発明の第一実施形態である蛍光ランプ装置を、一部を切り欠いて示す正面図。
【図２】同じく蛍光ランプ装置の側面図。
【図３】同じく蛍光ランプ装置の斜視図。
【図４】本発明の第一実施形態である照明器具を天井面に設置した状態を示す縦断面。
【図５】本発明の第二実施形態である蛍光ランプ装置を、一部を切り欠いて示す縦断面図。
【符号の説明】
【０１２２】
１０  蛍光ランプ装置
１１  発光管
１２  ホルダ
１２ｃ  保持手段
１３  口金
１４  電極
【図１】
2006080015.tif 000003
【図２】
2006080015.tif 000004
【図３】
2006080015.tif 000005
【図４】
2006080015.tif 000006
【図５】
2006080015.tif 000007